(57)【要約】【課題】煩雑なケーブルやアンテナの接続作業を要していた。【解決手段】テレビジョン１０で、ＣＡＴＶ放送と地上波アナログ放送と地上波デジタル放送という３種類の放送信号をすべて視聴可能とするに際して、ケーブル専用チューナブロック２０と、デジタル・アナログ共用チューナブロック３０とを搭載した。その結果、ケーブル専用チューナブロック３０のアナログ信号入力端子２４にＣＡＴＶ放送用のケーブル２１を常時接続させ、デジタル・アナログ共用チューナブロック３０のアンテナ接続端子３２に共用アンテナ３１を常時接続させた状態にて、チャンネルの選局操作だけで  ＣＡＴＶ放送と地上波アナログ放送と地上波デジタル放送との全てを含めた中から希望のチャンネルを視聴することが可能となった。【選択図】図１
2007174511.tif 000002
【特許請求の範囲】
【請求項１】
複数の入力系統からそれぞれに放送信号を入力可能であるとともに、各入力系統からの各放送信号のうち外部からの選局指示によって指定されたチャンネルに対応する放送信号に基づいて生成した映像信号を所定の映像信号処理回路に出力し、かつ、同映像信号処理回路における映像処理を受けた後の映像信号に基づいてディスプレイ装置に映像を出力させるテレビジョンにおいて、
放送信号の入力端子として、アナログのケーブルテレビ放送信号を伝送するケーブルと接続するためのアナログ信号入力端子のみを有するとともに、所定の選局制御信号に基づいて同アナログ信号入力端子から入力したケーブルテレビ放送信号から中間周波信号を抽出して出力するアナログチューナ回路と、同アナログチューナ回路から出力された中間周波信号に対する増幅処理および復調処理を実行して第一の映像信号を生成し同第一の映像信号を出力する第一復調回路とを有するケーブル専用チューナブロックと、
地上波デジタル放送信号の受信と地上波アナログ放送信号の受信とに用いられる共用アンテナが接続されるアンテナ接続端子と、所定の選局制御信号に基づいて地上波デジタル放送信号または地上波アナログ放送信号から中間周波信号を抽出して出力するデジタル・アナログ共用チューナ回路と、地上波アナログ放送信号から抽出された中間周波信号に対する増幅処理および復調処理を実行して第二の映像信号を生成し同第二の映像信号を出力する第二復調回路と、マイコンと所定のバスによって互いに接続されバス通信のマスタとなっている同マイコンによる制御を受けて動作する各ＩＣであって地上波デジタル放送信号から抽出された中間周波信号に基づいてトランスポートストリーム信号を生成するフロントエンドＩＣおよび同トランスポートストリーム信号をフロントエンドＩＣから入力して同トランスポートストリーム信号に基づいて第三の映像信号を生成し同第三の映像信号を出力するバックエンドＩＣとを有するデジタル・アナログ共用チューナブロックと、
上記選局指示を受け付けるとともに、上記出力される各映像信号のうち同選局指示が指定するチャンネルに対応する映像信号を選択して上記映像信号処理回路に出力させる上記マイコンとを具備し、
かつ、上記マイコンは、
上記第一の映像信号を選択した場合には、上記第二復調回路への電源の供給を遮断することにより同第二復調回路の駆動を停止させるとともに、上記バスを介して所定の駆動制御信号をフロントエンドＩＣに送信することにより同フロントエンドＩＣが内蔵するクロック発振回路の発振を停止させて同フロントエンドＩＣの駆動を停止させ、
上記第二の映像信号を選択した場合には、上記第一復調回路への電源の供給を遮断することにより同第一復調回路の駆動を停止させるとともに、上記フロントエンドＩＣの内蔵するクロック発振回路の発振停止による同フロントエンドＩＣの駆動停止を行い、
上記第三の映像信号を選択した場合には、上記第一復調回路および第二復調回路への電源の供給をそれぞれ遮断することにより第一復調回路および第二復調回路の駆動を停止させることを特徴とするテレビジョン。
【請求項２】
複数の入力系統からそれぞれに放送信号を入力可能であるとともに、各入力系統からの各放送信号のうち選局された放送信号に基づいて生成した映像信号を所定の映像信号処理回路に出力する放送信号受信装置において、
放送信号の入力端子としてアナログ信号入力端子のみを備えるとともに、同アナログ信号入力端子から入力した第一のアナログ放送信号に基づいて第一の映像信号を生成し出力するアナログ専用入力復調回路と、
接続するアンテナを介して第二のアナログ放送信号およびデジタル放送信号を受信可能であるとともに、同受信した第二のアナログ放送信号に基づいて第二の映像信号を生成し出力し、かつ同受信したデジタル放送信号に基づいて第三の映像信号を生成し出力するデジタル・アナログ共用受信復調回路と、
上記出力される各映像信号のうち、所定の選局指示に基づいていずれかの映像信号を選択して上記映像信号処理回路に出力させる選択制御手段と、
を備えることを特徴とする放送信号受信装置。
【請求項３】
上記アナログ専用入力復調回路は、アナログ信号入力端子にアナログのケーブルテレビ放送信号を伝送するケーブルを接続するとともに、同アナログ信号入力端子からケーブルテレビ放送信号を入力することを特徴とする請求項２に記載の放送信号受信装置。
【請求項４】
デジタル・アナログ共用受信復調回路は、上記アンテナを介して地上波アナログ放送信号および地上波デジタル放送信号を受信することを特徴とする請求項２または請求項３のいずれかに記載の放送信号受信装置。
【請求項５】
上記選択制御手段は、アナログ専用入力復調回路およびデジタル・アナログ共用受信復調回路における各部位のうち、上記選択した映像信号以外の映像信号を生成するために設けられている所定部位の駆動を停止させることを特徴とする請求項２に記載の放送信号受信装置。
【請求項６】
上記選択制御手段は、上記第一の映像信号を選択した場合には、デジタル・アナログ共用受信復調回路の一部であって、第二のアナログ放送信号から抽出された中間周波信号に対する復調処理を実行して上記第二の映像信号を生成する第二復調部と、デジタル放送信号から抽出された中間周波信号に対する復調処理を実行して上記第三の映像信号を生成する所定のＩＣとの駆動をそれぞれ停止させることを特徴とする請求項５に記載の放送信号受信装置。
【請求項７】
上記選択制御手段は、上記第二の映像信号を選択した場合には、アナログ専用入力復調回路の一部であって、第一のアナログ放送信号から抽出された中間周波信号に対する復調処理を実行して上記第一の映像信号を生成する第一復調部の駆動を停止させるとともに、デジタル・アナログ共用受信復調回路の一部であって、デジタル放送信号から抽出された中間周波信号に対する復調処理を実行して上記第三の映像信号を生成する所定のＩＣの駆動を停止させることを特徴とする請求項５または請求項６のいずれかに記載の放送信号受信装置。
【請求項８】
上記選択制御手段は、上記第三の映像信号を選択した場合には、アナログ専用入力復調回路の一部であって、第一のアナログ放送信号から抽出された中間周波信号に対する復調処理を実行して上記第一の映像信号を生成する第一復調部の駆動を停止させるとともに、デジタル・アナログ共用受信復調回路の一部であって、第二のアナログ放送信号から抽出された中間周波信号に対する復調処理を実行して上記第二の映像信号を生成する第二復調部の駆動を停止させることを特徴とする請求項５〜請求項７のいずれかに記載の放送信号受信装置。
【発明の詳細な説明】
【技術分野】
【０００１】
本発明は、テレビジョンおよび放送信号受信装置に関する。
【背景技術】
【０００２】
従来、地上波アナログ放送に加え、ケーブルテレビ（ＣＡＴＶ）放送や、さらには地上波デジタル放送を視聴しようとした場合、図３に示すような構成のテレビジョン１１０が用いられていた。
同図においては、アナログ放送信号受信用のアナログチューナブロック１０１を備えていた状態にさらにデジタル放送信号受信用のデジタルチューナブロック１０２を搭載した場合を示している。かかる構成においては、地上波アナログ放送受信用のアンテナ１０５の端子をアナログチューナブロック１０１の入力端子１０８に接続することにより地上波アナログ放送の受信が可能となり、ＣＡＴＶ放送用のケーブル１０６を上記入力端子１０８に接続し直すことにより、ＣＡＴＶ放送の受信が可能となっていた。
【０００３】
また、上記構成では、信号処理回路１０３は、ユーザのリモコン操作などによるチャンネル選局指示を受け付けることにより、アナログチューナブロック１０１から出力される映像信号とデジタルチューナブロック１０２から出力される映像信号とを択一的に選択し、この選択した映像信号に基づく映像表示をディスプレイ１０４に実行させていた。
【０００４】
さらに、チューナ部１にＣＡＴＶ放送用のケーブル７と地上波ＦＭ放送信号の受信アンテナ８とを接続したテレビジョンチューナが知られている（特許文献１参照。）。
さらに、第一のアンテナ入力端子である地上波アンテナ入力端子と、第二の入力端子であるＢＳアンテナ入力端子とを有するチューナ部が知られている（特許文献２参照。）。
【特許文献１】特開２０００‐７８４９０号公報
【特許文献２】特開２００２‐１３５６６８号公報
【発明の開示】
【発明が解決しようとする課題】
【０００５】
上述した従来のテレビジョン１１０においては、アナログチューナブロック１０１の入力端子１０８に対して、アンテナ１０５の端子とＣＡＴＶ放送用のケーブル１０６とのいずれかを接続する構成となっていた。そのため、ユーザが視聴の対象を、地上波アナログ放送とＣＡＴＶとの間で切り換える場合には、アナログチューナブロック１０１の入力端子１０８と接続させるものを変更する作業が必要となり、極めて煩雑であった。また、地上波アナログ放送の受信と地上波デジタル放送の受信において共用のアンテナを用いようとすると、この場合アンテナの端子をアナログチューナブロック１０１とデジタルチューナブロック１０２との間で接続し直す作業が必要であり、かかる作業も非常に煩雑であった。
【０００６】
また、上記文献１，２はいずれも、２つのアナログテレビジョン放送信号の入力系統と１つのデジタルテレビジョン放送信号の入力系統とを備える環境にて入力ケーブル類の物理的接続の切り換えの煩雑さを解消するものではなかった。
【０００７】
さらに、従来のように複数のチューナブロックを単純にテレビジョンに搭載しただけでは、各チューナブロック内の回路が発生するノイズの影響を排除することができず、視聴中の画像の質を落とすという問題があった。
【０００８】
本発明は上記課題に鑑みてなされたもので、２つのアナログテレビジョン放送信号の入力系統と１つのデジタルテレビジョン放送信号の入力系統とを備える環境にて入力ケーブル類の接続のし直し作業を一切不要とし、かつ、複数のチューナブロックが発生させるノイズによる悪影響を最小限に抑えることの可能なテレビジョンおよび放送信号受信装置を提供することを目的とする。
【課題を解決するための手段】
【０００９】
上記目的を達成するために請求項２の発明は、複数の入力系統からそれぞれに放送信号を入力可能であるとともに、各入力系統からの各放送信号のうち選局された放送信号に基づいて生成した映像信号を所定の映像信号処理回路に出力する放送信号受信装置において、放送信号の入力端子としてアナログ信号入力端子のみを備えるとともに、同アナログ信号入力端子から入力した第一のアナログ放送信号に基づいて第一の映像信号を生成し出力するアナログ専用入力復調回路と、接続するアンテナを介して第二のアナログ放送信号およびデジタル放送信号を受信可能であるとともに、同受信した第二のアナログ放送信号に基づいて第二の映像信号を生成し出力し、かつ同受信したデジタル放送信号に基づいて第三の映像信号を生成し出力するデジタル・アナログ共用受信復調回路と、上記出力される各映像信号のうち、所定の選局指示に基づいていずれかの映像信号を選択して上記映像信号処理回路に出力させる選択制御手段とを備える構成としてある。
【００１０】
上記構成においては、アナログ専用入力復調回路は、放送信号の入力端子としてはアナログ信号入力端子のみを備えており、このアナログ信号入力端子から第一のアナログ放送信号を入力し、第一の映像信号を生成し出力する。一方、デジタル・アナログ共用受信復調回路は、アンテナと接続しており、このアンテナを介して第二のアナログ放送信号およびデジタル放送信号を受信可能である。そして、受信した第二のアナログ放送信号に基づいて第二の映像信号を生成し出力し、受信したデジタル放送信号に基づいて第三の映像信号を生成し出力する。選択制御手段は、上記出力される第一〜第三の映像信号のうち、所定の選局指示に基づいていずれかの映像信号を選択して上記映像信号処理回路に出力させる。
【００１１】
すなわち本発明によれば、アナログ専用入力復調回路では所定のケーブルを常時接続して第一のアナログ放送信号の受信態勢を維持することができ、デジタル・アナログ共用受信復調回路ではアンテナを常時接続して第二のアナログ放送信号とデジタル放送信号との受信態勢を維持することができるので、ケーブルやアンテナの端子のチューナ側への差し直し作業を一切必要とすることなく、第一のアナログ放送信号と第二のアナログ放送信号とデジタル放送信号との中からチャンネルの切替のみで所望の放送信号を選択することができる。
【００１２】
請求項３の発明は、上記アナログ専用入力復調回路は、アナログ信号入力端子にアナログのケーブルテレビ放送信号を伝送するケーブルを接続するとしている。つまり、アナログ専用入力復調回路には、ケーブルテレビ放送信号を伝送するケーブルを常時接続することができ、そのアナログ信号入力端子を他のアナログ放送信号の入力系統のケーブルと共用する必要がない。そして、当該アナログ信号入力端子からは、ケーブルテレビ放送信号を入力する。
【００１３】
請求項４の発明は、デジタル・アナログ共用受信復調回路は、上記アンテナを介して地上波アナログ放送信号および地上波デジタル放送信号を受信する構成としている。つまり、アナログ信号入力端子が一つしかないアナログ放送信号専用のチューナにて、２つの入力系統のアナログ放送の受信をまかなう必要がなく、煩雑なケーブル類の差し直し作業が不要となる。
【００１４】
ここで、上記アナログ専用入力復調回路とデジタル・アナログ共用受信復調回路とを同一の装置に搭載した場合、それぞれの回路内で発生するノイズが互いの動作や映像出力に悪影響を及ぼすことが考えられる。そこで、請求項５の発明は、上記選択制御手段は、アナログ専用入力復調回路およびデジタル・アナログ共用受信復調回路における各部位のうち、上記選択した映像信号以外の映像信号を生成するために設けられている所定部位の駆動を停止させる制御を実行する。つまり、上記のように計３つの放送信号の入力系統を備えつつも、そのとき視聴対象となっていない映像信号の生成のために存在する回路部分については駆動を停止させるため、映像出力に関わっていない回路からのノイズによって視聴中の映像が乱れるといった問題が無くなる。
【００１５】
より具体的には、選択制御手段は、アナログ専用入力復調回路の一部である、第一のアナログ放送信号から抽出された中間周波信号に対する復調処理を実行して上記第一の映像信号を生成する第一復調部と、デジタル・アナログ共用受信復調回路の一部である、第二のアナログ放送信号から抽出された中間周波信号に対する復調処理を実行して上記第二の映像信号を生成する第二復調部と、デジタル・アナログ共用受信復調回路の一部である、デジタル放送信号から抽出された中間周波信号に対する復調処理を実行して上記第三の映像信号を生成する所定のＩＣとを、所定の条件に基づいて駆動停止させる。これら、第一復調部と第二復調部とＩＣとは、それぞれに多くのノイズを輻射するからである。
【００１６】
つまり、選択制御手段は、第一の映像信号を選択した場合には、第二復調部と上記ＩＣとの駆動を停止させ、第二の映像信号を選択した場合には、第一復調部と上記ＩＣとの駆動を停止させ、第三の映像信号を選択した場合には、第一復調部と第二復調部との駆動を停止させる。
その結果、第一〜第三のいずれの映像信号を選択した場合であっても、映像出力に関わっていない回路からのノイズの影響を排除した高画質な映像表示を実現できるようになる。
【００１７】
上記各構成を踏まえ、請求項１は、複数の入力系統からそれぞれに放送信号を入力可能であるとともに、各入力系統からの各放送信号のうち外部からの選局指示によって指定されたチャンネルに対応する放送信号に基づいて生成した映像信号を所定の映像信号処理回路に出力し、かつ、同映像信号処理回路における映像処理を受けた後の映像信号に基づいてディスプレイ装置に映像を出力させるテレビジョンにおいて、
放送信号の入力端子として、アナログのケーブルテレビ放送信号を伝送するケーブルと接続するためのアナログ信号入力端子のみを有するとともに、所定の選局制御信号に基づいて同アナログ信号入力端子から入力したケーブルテレビ放送信号から中間周波信号を抽出して出力するアナログチューナ回路と、同アナログチューナ回路から出力された中間周波信号に対する増幅処理および復調処理を実行して第一の映像信号を生成し同第一の映像信号を出力する第一復調回路とを有するケーブル専用チューナブロックと、
地上波デジタル放送信号の受信と地上波アナログ放送信号の受信とに用いられる共用アンテナが接続されるアンテナ接続端子と、所定の選局制御信号に基づいて地上波デジタル放送信号または地上波アナログ放送信号から中間周波信号を抽出して出力するデジタル・アナログ共用チューナ回路と、地上波アナログ放送信号から抽出された中間周波信号に対する増幅処理および復調処理を実行して第二の映像信号を生成し同第二の映像信号を出力する第二復調回路と、マイコンと所定のバスによって互いに接続されバス通信のマスタとなっている同マイコンによる制御を受けて動作する各ＩＣであって地上波デジタル放送信号から抽出された中間周波信号に基づいてトランスポートストリーム信号を生成するフロントエンドＩＣおよび同トランスポートストリーム信号をフロントエンドＩＣから入力して同トランスポートストリーム信号に基づいて第三の映像信号を生成し同第三の映像信号を出力するバックエンドＩＣとを有するデジタル・アナログ共用チューナブロックと、
上記選局指示を受け付けるとともに、上記出力される各映像信号のうち同選局指示が指定するチャンネルに対応する映像信号を選択して上記映像信号処理回路に出力させる上記マイコンとを具備し、
かつ、上記マイコンは、上記第一の映像信号を選択した場合には、上記第二復調回路への電源の供給を遮断することにより同第二復調回路の駆動を停止させるとともに、上記バスを介して所定の駆動制御信号をフロントエンドＩＣに送信することにより同フロントエンドＩＣが内蔵するクロック発振回路の発振を停止させて同フロントエンドＩＣの駆動を停止させ、上記第二の映像信号を選択した場合には、上記第一復調回路への電源の供給を遮断することにより同第一復調回路の駆動を停止させるとともに、上記フロントエンドＩＣの内蔵するクロック発振回路の発振停止による同フロントエンドＩＣの駆動停止を行い、上記第三の映像信号を選択した場合には、上記第一復調回路および第二復調回路への電源の供給をそれぞれ遮断することにより第一復調回路および第二復調回路の駆動を停止させる構成としてある。
【００１８】
すなわち、テレビジョンという具体的製品においても、請求項２〜請求項８と同様の作用および効果を奏する。
【発明の効果】
【００１９】
以上説明したように本発明によれば、２つのアナログテレビジョン放送信号と１つのデジタルテレビジョン放送信号とのいずれかの放送信号に基づく映像信号を選択する際に、上記３種の放送信号を入力するために必要なケーブルやアンテナをチューナに常時接続したまま所望の放送信号を選択することができるため、ケーブルやアンテナのチューナへの接続のし直し作業が一切不要となる。
また、ある入力系統にかかる映像信号を選択した場合には、他の入力系統にかかる映像信号の生成に関わる回路部分の駆動が停止されるため、常にノイズの影響の無い高画質の映像表示を行うことができる。
【発明を実施するための最良の形態】
【００２０】
図１は、本発明にかかるテレビジョン１０をブロック図により示している。
テレビジョン１０は、概略、ケーブル専用チューナブロック２０と、デジタル・アナログ共用チューナブロック３０と、信号処理ブロック４０と、ディスプレイ５０と、マイコン６０と、電源回路７０等の各構成部品からなる。
マイコン６０は、テレビジョン１０全体の駆動を制御するものであり、上記各構成部品と電気的に接続している。マイコン６０は、ＣＰＵ６１と、ＲＯＭ６２と、ＲＡＭ６３と、インターフェース（Ｉ／Ｆ）６４を備える。つまり、マイコン６０においては、ＣＰＵ６１が、ＲＡＭ６３をワークエリアとして、ＲＯＭ６２に記憶されたプログラムやデータに基づいてテレビジョン１０の駆動を制御する。
【００２１】
電源回路７０は、テレビジョン１０外部の商用交流電源をコード７１を介して入力するとともに、交流電源を所定レベルの直流に変換した上で、かかる変換後の直流電圧をマイコン６０をはじめとする上記各構成部品に供給している。なお、電源回路７０による各部への電源供給も、マイコン６０によって制御されている。  
次に、ケーブル専用チューナブロック２０とデジタル・アナログ共用チューナブロック３０とについて説明する。本発明においては、上記２つのチューナブロックを搭載することで、２つの入力系統からそれぞれにアナログ放送信号を入力するとともにデジタル放送信号についても入力可能としている。
【００２２】
ケーブル専用チューナブロック２０は、その筐体表面に一つだけのアナログ信号入力端子２４を備えた装置であり、内部にはチューナ回路２２と第一アナログ復調回路２３を備える。アナログ信号入力端子２４には、アナログのＣＡＴＶ放送信号を伝送するケーブル２１が接続される。つまり、ケーブル専用チューナブロック２０には、入力端子２４を介してＣＡＴＶ放送信号が入力される。チューナ回路２２は、いわゆるシンセサイザ方式のの構成とされている。チューナ回路２２には、選局制御信号としてＰＬＬデータ、すなわち、ＰＬＬループにおける可変分周回路の分周比のデータが与えられる。チューナ回路２２は、マイコン６０から選局制御信号としてのＰＬＬデータの送信を受けて、ケーブル２１を介して受信したＣＡＴＶ放送の各チャンネルに対応する放送信号のいずれかから所望の周波数帯域の中間周波信号（ＩＦ）を抽出することにより、複数のチャンネルの中から一つのチャンネルを選択する。
【００２３】
マイコン６０は、ユーザが外部機器としてのリモコン送信機などで送信したチャンネル切替指示信号をＩ／Ｆ６４を介して受信することによって、そのとき選局すべきチャンネルを認識し、選局されたチャンネルのテレビジョン放送信号を受信するための選局制御信号をケーブル専用チューナブロック２０（またはデジタル・アナログ共用チューナブロック３０）に送信する。
【００２４】
チューナ回路２２から出力される中間周波信号は、第一アナログ復調回路２３に供給される。第一アナログ復調回路２３は、増幅部と復調部とＮＴＳＣデコーダとを備える。増幅部は、上記供給された中間周波信号のゲインを、所定のフィードバック制御のもと、所定レベルに増幅させ、復調部は、増幅された中間周波信号を分離することにより、ＮＴＳＣ形式のアナログ映像信号とアナログ音声信号とを生成する。同生成されたアナログ映像信号はＮＴＳＣデコーダに入力され、ＮＴＳＣデコーダにてデジタル映像信号に変換される。ＮＴＳＣ形式はアナログテレビジョン信号の標準形式であり、色を再現するための信号と１５．７５ｋＨｚの水平同期信号と６０Ｈｚの垂直同期信号等が含まれる。復調部には水平同期信号と垂直同期信号とを抽出するための同期分離回路が備えられており、同期分離回路が抽出した水平同期信号と垂直同期信号に基づいて、ＮＴＳＣデコーダが同期の取れたデジタル映像信号（第一の映像信号）を生成する。ＮＴＳＣデコーダにて生成された第一の映像信号は、信号処理ブロック４０に出力される。なお、復調部にて分離されたアナログ音声信号は、不図示のスピーカに供給される。
【００２５】
デジタル・アナログ共用チューナブロック３０は、その筐体表面にアンテナ接続端子３２を備えており、同アンテナ接続端子３２において、地上波デジタル放送信号の受信と地上波アナログ放送信号の受信とに用いられる共用アンテナ３１を接続している。デジタル・アナログ共用チューナブロック３０の内部には、共用チューナ回路３３と、第二アナログ復調回路３４と、デジタル復調回路３５とが内蔵されている。
【００２６】
共用チューナ回路３３および第二アナログ復調回路３４は、上記ケーブル専用チューナブロック２０におけるチューナ回路２２とおよび第一アナログ復調回路２３と大部分において機能を共通にしている。つまり、共用チューナ回路３３は、マイコン６０から送信された選局制御信号に基づいて、共用アンテナ３１を介して受信した各チャンネルに対応する地上波デジタル放送信号、地上波アナログ放送信号のいずれかから所望の周波数帯域の中間周波信号を抽出し、地上波アナログ放送信号から抽出された中間周波信号については、第二アナログ復調回３４に供給する。第二アナログ復調回路３４では、第一アナログ復調回路２３と同様に、中間周波信号に対する上記増幅処理や復調処理を実行してデジタル映像信号（第二の映像信号）を生成し、信号処理ブロック４０に出力する。
【００２７】
共用チューナ回路３３から出力される中間周波信号が地上波デジタル放送信号から抽出されたものである場合には、かかる中間周波信号は、デジタル復調回路３５に供給される。デジタル復調回路３５は、フロントエンドＩＣ３６とバックエンドＩＣ３７とから構成される。フロントエンドＩＣ３６は、デジタルＩ／Ｆと復調部とを備える。中間周波信号が入力されるデジタルＩ／ＦはＡ／Ｄコンバータを有しており、デジタルＩ／Ｆから信号の供給を受ける復調部は、チャンネルイコライザ、エラー訂正デコード部等を有している。すなわち、デジタルＩ／Ｆと復調部とは、入力される中間周波信号をデジタル信号に変換するとともに、マイコン６０からの制御情報に基づいてデジタル復調した信号に対していわゆるゴーストキャンセルを行う。さらに、デジタルＩ／Ｆと復調部は、伝送路上で発生したビット誤りを訂正し、トランスポートストリーム（ＴＳ）信号を得る。
【００２８】
ＴＳ信号は、バックエンドＩＣ３７に出力される。バックエンドＩＣ３７は、デスクランブル部とデマルチプレックス部とＭＰＥＧデコーダとを備えている。ＴＳ信号は、通常スクランブルがかかっているため、このままでは適正に映像・音声を再生することはできない。そこで、デスクランブル部がＴＳ信号に対してデ・スクランブル処理を行うことにより、ＴＳ信号を再生可能なデータ配列に復元する。デ・スクランブル処理が行われたＴＳ信号は、映像信号や音声信号や文字情報等が多重化された形式となっており、デマルチプレックスに供給される。デマルチプレックス部では入力されたデータに対してデ・マルチプレックス処理を行う。すなわち、ここで多重化が解除される。
【００２９】
デ・マルチプレックス処理にて多重化が解除されると、映像信号および音声信号が所定の方式により圧縮されたＭＰＥＧデータが得られる。ＭＰＥＧデータはＭＰＥＧデコーダに供給され、ＭＰＥＧデコーダにて圧縮解凍処理、つまりＭＰＥＧデコード処理が行われる。このＭＰＥＧデコード処理により、デジタル映像信号（第三の映像信号）とデジタル音声信号とが生成される。第三の映像信号は、信号処理ブロック４０に対して出力される。一方、デジタル音声信号は、所定のＤ／Ａ変換部によってアナログ音声信号に変換されるとともに、このアナログ音声信号が不図示のスピーカに出力される。
【００３０】
このように、ケーブル専用チューナブロック２０の第一アナログ復調回路２３にて生成された第一の映像信号、デジタル・アナログ共用チューナブロック３０の第二アナログ復調回路３４にて生成された第二の映像信号、デジタル復調回路３５にて生成された第三の映像信号は、いずれも信号処理ブロック４０に対して出力される。
【００３１】
信号処理ブロック４０においては、内部に選択回路４１と映像信号処理回路４２とが設けられている。選択回路４１は、マイコン６０の指示を受けて、入力した映像信号のうちいずれか一つを選択して出力する回路である。つまり、マイコン６０は、ユーザのリモコン送信機等の操作に応じてそのとき選局すべきチャンネルを認識可能であるため、選局されたチャンネルがＣＡＴＶ放送信号に対応している場合には、選択回路４１に第一アナログ復調回路２３からの出力（第一の映像信号）を選択させ、選局されたチャンネルが地上波アナログ放送信号に対応している場合には、選択回路４１に第二アナログ復調回路３４からの出力（第二の映像信号）を選択させ、選局されたチャンネルが地上波デジタル放送信号に対応している場合には、選択回路４１にデジタル復調回路３５からの第三の映像信号を選択させる。
【００３２】
この結果、映像信号処理回路４２には、第一〜第三の映像信号のうち、そのとき選局されているチャンネルに対応する一つの映像信号が入力される。
映像信号処理回路４２では、デジタル映像信号を入力すると、この映像信号に対して所定の信号処理をした上で、ディスプレイ５０に出力する。ディスプレイ５０としては、ＣＲＴや液晶パネルやプラズマディスプレイパネルなど種々の映像表示装置を採用可能であるが、ここでは液晶パネルを例に説明する。
【００３３】
映像信号処理回路４２は、画素数変換回路と、画質調整回路と、出力処理回路とを有している。画素数変換回路はデジタル映像信号を入力し、この映像信号に対してスケーリング処理を行いつつ、液晶パネルに表示される１画面分のＲＧＢ信号を生成する。画質調整回路は、画素数変換回路によってスケーリング処理が施されたＲＧＢ信号に対して、ブライトネス、コントラスト、黒バランスおよび白バランス、シャープネス等の各種調整を行う。出力処理回路は、画質調整が施されたＲＧＢ信号に対して、ガンマ補正、ディザ処理等を行うとともに、背景信号、ＯＳＤ信号、ブランキング信号等を付加して液晶パネルに出力し、画像を表示させる。
【００３４】
このように本発明においては、テレビジョン１０で、ＣＡＴＶ放送と地上波アナログ放送と地上波デジタル放送という３種類の放送信号をすべて視聴可能とするに際して、ケーブル専用チューナブロック２０と、デジタル・アナログ共用チューナブロック３０とを搭載した。その結果、ケーブル専用チューナブロック３０のアナログ信号入力端子２４にＣＡＴＶ放送用のケーブル２１を常時接続させ、デジタル・アナログ共用チューナブロック３０のアンテナ接続端子３２に共用アンテナ３１を常時接続させた状態にて、チャンネルの選局操作だけで  ＣＡＴＶ放送と地上波アナログ放送と地上波デジタル放送との全てを含めた中から希望のチャンネルを視聴することが可能となった。すなわち、従来のような、ＣＡＴＶ放送と地上波アナログ放送と地上波デジタル放送とを含む複数チャンネルの切替に際して、適宜ケーブルやアンテナの端子とチューナ側の端子とを接続し直すといった煩雑な作業が、一切不要となった。
【００３５】
ここで、ケーブル専用チューナブロック２０とデジタル・アナログ共用チューナブロック３０とを単にテレビジョン１０に搭載しただけでは、それぞれのチューナブロックが発するノイズによって視聴中の映像の画質を低下させてしまう恐れがある。そこで、本実施形態では、以下のようなノイズ対策を行う。
図２は、テレビジョン１０が実行する、各チューナブロックのオン・オフ切替処理の内容をフローチャートにより示している。当該処理は、テレビジョン１０の主電源が入力状態でありテレビジョン１０が駆動状態となってることを前提に、マイコン６０によって実行される。つまり、上述したような放送信号の受信から映像表示までの処理と併せて実行される。
【００３６】
まず、ステップＳ（以下、ステップの記載を省略）２００においては、マイコン６０は、外部からチャンネルの切替指示があるか否か判断する。マイコン６０は、チャンネルの切替指示があったか否かを、上記チャンネル切替指示信号をＩ／Ｆ６４を介して受信したか否かによって判断できる。
【００３７】
チャンネルの切替指示が無い場合は、同フローを終了する。ただし同フローは、テレビジョン１０の駆動中において所定間隔毎に繰り返し実行するものとする。
チャンネル切替指示があった場合、マイコン６０は、その切替指示がＣＡＴＶ放送に対応するチャンネルへの切替を指示するものであるか否か判断する（Ｓ２１０）。ＲＯＭ６２などの所定の記憶装置には予め、各チャンネル番号について、ＣＡＴＶ放送のチャンネルか地上波アナログ放送に対応するチャンネルか地上波デジタル放送に対応するチャンネルかを区別する情報との対応関係を規定した情報テーブルが格納されており、マイコン６０は、上記切替指示があったときに切替先のチャンネル番号と当該情報テーブルとを参照して上記判断を行う。
【００３８】
切替指示がＣＡＴＶ放送に対応するチャンネルへの切替を指示するものである場合、Ｓ２２０において、マイコン６０は、ケーブル専用チューナブロック２０の第一アナログ復調回路２３を駆動させる。切替前のチャンネルがＣＡＴＶ放送に対応するチャンネルでない場合には、後述するように本実施形態では、第一アナログ復調回路２３は駆動停止状態となっている。そのため、Ｓ２２０では第一アナログ復調回路２３が駆動停止状態か否か確認し、駆動停止状態であれば駆動させるのである。むろん、切替前のチャンネルもＣＡＴＶ放送に対応したチャンネルであった場合には、第一アナログ復調回路２３は既に駆動状態であるため、Ｓ２２０では特に処理を行わずに第一アナログ駆動回路２３の駆動状態を維持すればよい。
【００３９】
Ｓ２１０の判断が“Ｎｏ”であった場合には、マイコン６０は、Ｓ２３０において、切替指示が地上波アナログ放送に対応するチャンネルへの切替を指示するものであるか否か判断する。そして、切替指示が地上波アナログ放送に対応するチャンネルへの切替を指示するものである場合には、Ｓ２４０において、デジタル・アナログ共用チューナブロック３０の第二アナログ復調回路３４を駆動させる。つまりＳ２２０と同様に、その時点で第二アナログ復調回路３４が駆動停止状態である場合に駆動させ、既に駆動状態である場合には特に処理を行わずに第二アナログ復調回路３４の駆動状態を維持する。
【００４０】
Ｓ２３０の判断が“Ｎｏ”であった場合、すなわち切替指示が地上波デジタル放送に対応するチャンネルへの切替を指示するものである場合には、Ｓ２５０において、マイコン６０は、デジタル・アナログ共用チューナブロック３０のデジタル復調回路３５の駆動を停止させる。この場合も、その時点でデジタル復調回路３５が駆動停止状態である場合に駆動させ、既に駆動状態である場合には特に処理を行わずにデジタル復調回路３５の駆動状態を維持する。
【００４１】
ここで、本実施形態において、第一アナログ復調回路２３および第二アナログ復調回路３４について駆動停止状態と言った場合には、各復調回路に対する電源回路７０からの電源供給が遮断された状態を意味する。従って、マイコン６０は、第一アナログ復調回路２３、第二アナログ復調回路３４について駆動状態とするには、それぞれの復調回路に対して電源回路７０からの電源供給を再開させればよい。
【００４２】
一方、本実施形態において、デジタル復調回路３５について駆動停止状態と言った場合には、同デジタル復調回路３５のフロントエンドＩＣ３６が内蔵するクロック発振回路の発振を停止させてフロントエンドＩＣ３６を駆動停止状態とすることを意味する。この場合、電源回路７０からデジタル復調回路３５（フロントエンドＩＣ３６およびバックエンドＩＣ３７）への電源供給自体は維持されている。従って、マイコン６０は、デジタル復調回路３５について駆動状態とするには、フロントエンドＩＣ３６の上記クロック発振回路の発振を再開させればよい。
【００４３】
上記Ｓ２２０の後、マイコン６０は、第二アナログ復調回路３４およびフロントエンドＩＣ３６の駆動を停止させる処理を実行する（Ｓ２６０）。つまり、マイコン６０は、第二アナログ復調回路３４への電源回路７０からの電源供給を遮断する制御を行うとともに、フロントエンドＩＣ３６が内蔵するクロック発振回路の発振を停止させる。ここで、マイコン６０とフロントエンドＩＣ３６、バックエンドＩＣ３７とはそれぞれＩＣ間通信用バス８０で接続されており、マイコン６０はこのバス通信のマスタとなっている。そこでマイコン６０は、当該バス８０を介してフロントエンドＩＣ３６に制御信号を送信し、そのクロック発振を停止させる。なお、フロントエンドＩＣ３６のクロック発振を再開させる場合にも、マイコン６０は当該バス８０を介してフロントエンドＩＣに指示信号を送る。
【００４４】
ＣＡＴＶ放送にかかるチャンネルが選局されている場合にはデジタル・アナログ共用チューナブロック３０の動作は不要である。そこで、上記のようにデジタル・アナログ共用チューナブロック３０の中でも特にノイズの発生源となりやすい第二アナログ復調回路３４およびフロントエンドＩＣ３６の駆動を停止させることにより、ＣＡＴＶ放送の受信および映像出力に際して、デジタル・アナログ共用チューナブロック３０からのノイズの影響が現れないようにしている。また、フロントエンドＩＣ３６については、これを駆動停止状態とする場合、電源供給自体を遮断するのではなくクロックを停止させるだけなので、後に駆動を再開させるときの立ち上がりに要する時間が短く、また、ＩＣ内の揮発性メモリに記録した各種データが駆動停止毎に消えてしまうことも防がれる。
【００４５】
上記Ｓ２４０の後には、マイコン６０は、第一アナログ復調回路２３およびフロントエンドＩＣ３６の駆動を停止させる処理を実行する（Ｓ２７０）。マイコン６０は、第一アナログ復調回路２３の駆動停止は、同第一アナログ復調回路２３への電源回路７０からの電源供給を遮断することにより実現する。フロントエンドＩＣ３６の駆動停止はＳ２６０と同様である。
【００４６】
地上波アナログ放送にかかるチャンネルが選局されている場合にはケーブル専用チューナブロック２０やデジタル・アナログ共用チューナブロック３０中のデジタル復調回路３５の動作は不要である。そこで上記のように、ケーブル専用チューナブロック２０の中でも特にノイズの発生源となりやすい第一アナログ復調回路２３と、上記フロントエンドＩＣ３６の駆動を停止させることにより、地上波アナログ放送の受信および映像出力に際して、そのときは不要な周辺回路からのノイズの影響が現れないようにしている。
【００４７】
上記Ｓ２５０の後には、マイコン６０は、第一アナログ復調回路２３および第二アナログ復調回路３４の駆動を停止させる処理を実行する（Ｓ２８０）。地上波デジタル放送にかかるチャンネルが選局されている場合には、ケーブル専用チューナブロック２０やデジタル・アナログ共用チューナブロック３０中の第二アナログ復調回路３４の動作は不要だからである。この結果、地上波デジタル放送の受信および映像出力に際して、そのときは不要な周辺回路からのノイズの影響が現れないようになる。
【００４８】
なお上記において、第一アナログ復調回路２３を駆動停止状態とし、または駆動状態とすると表現した場面においては、替わりに、ケーブル専用チューナブロック２０自体を駆動停止状態とし、または駆動状態とするとしてもよい。これは、地上波アナログ放送または地上波デジタル放送にかかるチャンネルを選局しているときには、ケーブル専用チューナブロック２０自体の駆動を停止させていてもよいからである。
【００４９】
このように本発明においては、ケーブル専用チューナブロック２０とデジタル・アナログ共用チューナブロック３０とをテレビジョン１０に搭載することによりケーブルやアンテナの端子とチューナ側の端子との接続の変更作業を不要とするとともに、ケーブル専用チューナブロック２０とデジタル・アナログ共用チューナブロック３０とが至近距離に並存し合うことによって生じる、各チューナブロックからの輻射ノイズによる周辺回路への悪影響を抑えることが可能となった。また、その結果、ＣＡＴＶ放送、地上波アナログ放送、地上波デジタル放送のいずれを視聴する場合であっても高画質な映像とすることができる。
【図面の簡単な説明】
【００５０】
【図１】本発明にかかるテレビジョンの概略構成を示したブロック図。
【図２】各チューナブロックのオン・オフ切替処理を示したフローチャート。
【図３】従来におけるＣＡＴＶ放送と地上波アナログ放送と地上波デジタル放送の視聴を行うためのテレビジョンの概略構成を示したブロック図。
【符号の説明】
【００５１】
１０…テレビジョン
２０…ケーブル専用チューナブロック
２１…ケーブル
２２…チューナ回路
２３…第一アナログ復調回路
２４…アナログ信号入力端子
３０…デジタル・アナログ共用チューナブロック
３１…共用アンテナ
３２…アンテナ接続端子
３３…共用チューナ回路
３４…第二アナログ復調回路
３５…デジタル復調回路
３６…フロントエンドＩＣ
３７…バックエンドＩＣ
４０…信号処理ブロック
４１…選択回路
４２…映像信号処理回路
５０…ディスプレイ
６０…マイコン
６１…ＣＰＵ
６２…ＲＯＭ
６３…ＲＡＭ
６４…Ｉ／Ｆ
７０…電源回路
８０…ＩＣ間通信用バス
【図１】
2007174511.tif 000003
【図２】
2007174511.tif 000004
【図３】
2007174511.tif 000005